(57)【要約】【課題】  オペレータの誤認を防ぐ送出情報表示システムおよび送出情報サーバとその表示方法を提供する。【解決手段】  イベントデータをモニタ２に送出情報として表示する制御を行う送出情報サーバ１は、ＳＣＰ３から入力されるイベントデータをイベント表示データを編集し、イベントデータがタイムスーパー表示を行う場合、タイムスーパー制御を行う時刻の表示を省略したイベント表示データの映像信号をモニタ２へ出力することにより頻雑なモニタ画面となることを避け、オペレータの誤認を防ぐ。【選択図】  図１
2008022341.tif 000002
【特許請求の範囲】
【請求項１】
放送局のＡＰＣ（自動番組送出設備）により制御される装置に関わるイベントデータを送出情報として表示する送出情報表示システムにおいて、
前記ＡＰＣのＳＣＰが前記装置へ向けてネットワークを介して送信する前記イベントデータを前記ネットワークから受信して、前記送出情報を時系列に前記モニタに表示されるよう編集されたイベント表示データを生成し、前記受信したイベントデータが、タイムスーパーを表示するものである場合、当該タイムスーパーの表示、および停止のタイミングを示す送出情報を前記モニタに表示しないイベント表示データを生成して当該タイムスーパーの送出情報が表示されない映像情報を前記モニタに出力する送出情報サーバと、
前記送出情報サーバから前記映像情報を受信して表示するモニタとを
備えることを特徴とする送出情報表示システム。
【請求項２】
前記送出情報サーバは、
前記受信したイベントデータが、タイムスーパーを表示するものである場合、
前記送出情報の表示を、前記タイムスーパーの表示、および停止のタイミングを表示する第１の表示モードと、
前記タイムスーパーの表示、および停止のタイミングを表示しない非表示モードと、
前記タイムスーパーの表示、および停止のタイミングは表示しないが、当該タイムスーパーが表示される番組の送出を処理する装置に対する送出情報の表示形態をタイムスーパー処理を行わない場合の表示形態と異なって表示させる簡易表示モード
のうち何れかに設定可能な表示モード設定手段を
備えることを特徴とする請求項１記載の送出情報表示システム。
【請求項３】
放送局のＡＰＣ（自動番組送出設備）により制御される装置に関わるイベントデータを送出情報として表示制御を行う送出情報サーバとその送出情報を表示するモニタを備える送出情報表示システムの送出情報サーバにおいて、
前記ＡＰＣのＳＣＰが前記装置へ向けてネットワークを介して送信する前記イベントデータを前記ネットワークから受信して、前記送出情報を時系列に前記モニタに表示されるよう編集されたイベント表示データを生成し、
前記受信したイベントデータが、タイムスーパーを表示するものである場合、
当該タイムスーパーの表示、および停止のタイミングを示す送出情報を前記モニタに表示しないイベント表示データを生成して当該タイムスーパーの送出情報が表示されない映像情報を前記モニタに出力する送出情報サーバと、
前記送出情報サーバから前記映像情報を受信して表示するモニタとを
備えることを特徴とする送出情報表示システムの送出情報サーバ。
【請求項４】
前記送出情報サーバは、
前記受信したイベントデータが、タイムスーパーを表示するものである場合、
前記送出情報の表示を、前記タイムスーパーの表示、および停止のタイミングを表示する第１の表示モードと、
前記タイムスーパーの表示、および停止のタイミングを表示しない非表示モードと、
前記タイムスーパーの表示、および停止のタイミングは表示しないが、当該タイムスーパーが表示される番組の送出を処理する装置に対する送出情報の表示形態をタイムスーパー処理を行わない場合の表示形態と異なって表示させる簡易表示モード
のうち何れかに設定可能な表示モード設定手段を
備えることを特徴とする請求項３記載の送出情報表示システムの送出情報サーバ。
【請求項５】
放送局のＡＰＣ（自動番組送出設備）により制御される装置に関わるイベントデータを送出情報として表示制御を行う送出情報サーバとその送出情報を表示するモニタを備える送出情報表示システムの表示方法において、
前記送出情報サーバは、
前記ＡＰＣのＳＣＰが前記装置へ向けてネットワークを介して送信する前記イベントデータを前記ネットワークから受信して、前記送出情報を時系列に前記モニタに表示されるよう編集されたイベント表示データを生成し、
前記受信したイベントデータが、タイムスーパーを表示するものである場合、
当該タイムスーパーの表示、および停止のタイミングを示す送出情報を前記モニタに表示しないイベント表示データを生成して当該タイムスーパーの送出情報が表示されない映像情報を前記モニタに出力し、
前記モニタは、
前記送出情報サーバから前記映像情報を受信して表示する
ことを特徴とする送出情報表示システムの表示方法。
【請求項６】
前記送出情報サーバは、更に表示モード設定手段を備え、
前記表示モード設定手段は、
前記タイムスーパーの表示、および停止のタイミングを表示する第１の表示モードと、
前記タイムスーパーの表示、および停止のタイミングを表示しない非表示モードと、
前記タイムスーパーの表示、および停止のタイミングは表示しないが、当該タイムスーパーを表示する番組の送出を処理する装置に対する送出情報の表示形態をタイムスーパー処理を行わない表示形態と異なって表示させる簡易表示モード
のうち前記何れかの表示モードを選択して前記イベント表示データを生成する制御を行う
ことを特徴とする請求項５記載の送出情報表示システムの表示方法。
【発明の詳細な説明】
【技術分野】
【０００１】
本発明は、放送局で番組信号の送出に係わるイベントを監視する送出情報表示システムおよび送出情報サーバとその表示方法に関する。
【背景技術】
【０００２】
放送局では、番組放送に係わるイベント制御をその番組信号を送出する装置について動作のタイミング制御を行う。そのうち、ＴＶ番組放送で現在時刻を画面に表示するタイムスーパー（時刻重畳表示）では、当該番組の素材送出と合わせて時刻の字幕情報が、番組放送中、または、放送中の所要のタイミングで表示、および停止する制御が行われる。この様なイベント制御は、送出情報のモニタにより実行コマンドが画面表示されオペレータが放送映像と合わせてコマンドを確認する。
【０００３】
例えば、地方局での独自のＣＭ放送を行うような場合、タイムスーパーの表示・停止コマンドをオペレータが都度編集入力しなくても良い様に、独自のＣＭ部分のみに地方局でタイムスーパーを入力して表示させるようにし、ネット局からの番組素材を放送するときには、既にタイムスーパーされているので地方局ではタイムスーパー表示を行わないように自動的に切り替える処理が行われる例がある（例えば、特許文献１。）。
【０００４】
しかし、タイムスーパーは、番組を通して常時放送画面に表示されずに番組冒頭や、番組中に短い時間で間欠的に繰り返して表示される場合、また、番組冒頭の１０秒間だけ表示されて後の時間は表示されない場合も有る。
【０００５】
この様な短時間で間欠的に繰り返して表示される場合、タイムスーパーの開始、終了に合わせてコマンドを実行するので、送出情報のモニタ画面にはタイムスーパーのＯＮ／ＯＦＦ制御表示がイベント表示行の間に頻繁に現れ、オペレータにとって煩わしいだけでなく、画面を誤って読み取り送出情報を誤認する問題が有った。
【特許文献１】特開平９−１８６９３４号公報  （第３頁、第１図）
【発明の開示】
【発明が解決しようとする課題】
【０００６】
タイムスーパーが短時間表示される場合、送出情報モニタ装置にはタイムスーパーのＯＮ／ＯＦＦ制御表示がイベント表示の行の間に頻繁に現れ、オペレータにとって煩わしいだけでなく、画面を誤って読み取り送出情報管理を誤操作する問題があった。
【０００７】
本発明は上記問題を解決するためになされたもので、オペレータの誤認を防ぐ送出情報表示システムおよび送出情報サーバとその表示方法を提供することを目的とする。
【課題を解決するための手段】
【０００８】
上記目的を達成するために、本発明の送出情報表示システムは、放送局のＡＰＣ（自動番組送出設備）により制御される装置に関わるイベントデータを送出情報として表示する送出情報表示システムにおいて、前記ＡＰＣのＳＣＰが前記装置へ向けてネットワークを介して送信する前記イベントデータを前記ネットワークから受信して、前記送出情報を時系列に前記モニタに表示されるよう編集されたイベント表示データを生成し、前記受信したイベントデータが、タイムスーパーを表示するものである場合、当該タイムスーパーの表示、および停止のタイミングを示す送出情報を前記モニタに表示しないイベント表示データを生成して当該タイムスーパーの送出情報が表示されない映像情報を前記モニタに出力する送出情報サーバと、前記送出情報サーバから前記映像情報を受信して表示するモニタとを備えることを特徴とする。
【０００９】
また、本発明の放送局の送出情報表示システムの送出情報表示サーバは、放送局のＡＰＣ（自動番組送出設備）により制御される装置に関わるイベントデータを送出情報として表示制御を行う送出情報サーバとその送出情報を表示するモニタを備える送出情報表示システムの送出情報サーバにおいて、前記ＡＰＣのＳＣＰが前記装置へ向けてネットワークを介して送信する前記イベントデータを前記ネットワークから受信して、前記送出情報を時系列に前記モニタに表示されるよう編集されたイベント表示データを生成し、前記受信したイベントデータが、タイムスーパーを表示するものである場合、当該タイムスーパーの表示、および停止のタイミングを示す送出情報を前記モニタに表示しないイベント表示データを生成して当該タイムスーパーの送出情報が表示されない映像情報を前記モニタに出力することを特徴とする送出情報表示システムの送出情報サーバ。
【００１０】
更に、本発明の放送局の送出情報表示システムの表示方法は、放送局のＡＰＣ（自動番組送出設備）により制御される装置に関わるイベントデータを送出情報として表示制御を行う送出情報サーバとその送出情報を表示するモニタを備える送出情報表示システムの表示方法において、前記送出情報サーバは、前記ＡＰＣのＳＣＰが前記装置へ向けてネットワークを介して送信する前記イベントデータを前記ネットワークから受信して、前記送出情報を時系列に前記モニタに表示されるよう編集されたイベント表示データを生成し、前記受信したイベントデータが、タイムスーパーを表示するものである場合、当該タイムスーパーの表示、および停止のタイミングを示す送出情報を前記モニタに表示しないイベント表示データを生成して当該タイムスーパーの送出情報が表示されない映像情報を前記モニタに出力し、前記モニタは、前記送出情報サーバから前記映像情報を受信して表示することを特徴とする。
【発明の効果】
【００１１】
本発明によれば、オペレータの誤認を防ぐ送出情報表示システムおよび送出情報サーバとその表示方法を提供することができる。
【発明を実施するための最良の形態】
【００１２】
以下、図面を参照して本発明の実施例を説明する。
【実施例】
【００１３】
図１は、本発明の実施例に係わる送出情報表示システムの構成を示す系統図である。
【００１４】
図１において、送出情報表示システムは、送出情報サーバ１、そのモニタ２、ＳＣＰ（Ｓｃｈｅｄｕｌｅ  Ｃｏｎｔｒｏｌ  Ｐｒｏｃｅｓｓｏｒ）３、複数のＲＴＰ（Ｒｅａｌ  Ｔｉｍｅ  Ｐｒｏｃｅｓｓｏｒ）４、ＶＴＲ５、局内時計６、ノード７、スイッチャ８、映像出力装置９、タイムスーパー発生器１０と、ネットワーク１１とを備えている。
【００１５】
ネットワーク１１は、上記の各構成との間で授受される機器、装置の動作処理情報であるイベントデータ、制御・監視信号を伝送する通信ネットワークである。
【００１６】
ＲＴＰ４は、ここではＶＴＲ５の動作を制御する１台のみが表示されているがその他ＶＴＲや、ビデオサーバ、字幕送出装置等多数の素材供給装置など、スタジオ内の装置１台毎に設けられる。そして、ネットワーク１１を介して、又はその他の手段により局内時計６から供給される時刻情報とＳＣＰ３から送信されるイベントデータとを参照し、各装置の動作（開始、停止、素材指定等）を制御する。
【００１７】
送出情報表示システムは、図１で一点波線で囲まれるような放送局のＡＰＣ（自動番組送出設備）の一部として構成され、狭義に言えば、送出情報サーバ１、そのモニタ２により放送番組の送出に係わるイベント制御情報を表示するものである。
【００１８】
即ち、放送局のスタジオでは、情報管理システムＤＳからＳＣＰ３へ放送される番組時刻情報が入力され、ＳＣＰ３は、この番組時刻情報に基づき、放送される番組の時刻表に連携したイベントデータを生成してネットワーク１１を介して送出情報サーバ１、またＲＴＰ４、ノード７、スイッチャ８等へ出力する。なお、送出情報サーバ１のイベントデータを受信する手段、方法については、ＳＣＰ３から自分宛のアドレス設定されたデータを受信するものであるか、ネットワーク１１をモニタ・監視してＳＣＰ３が各装置へ向けて送信するイベントデータを抽出するかの何れかの方法により取得する。
【００１９】
ＶＴＲ５は、ＲＴＰ４の制御に従って、所定の放送時刻になると放送番組のコンテンツをスイッチャ８へ出力する。スイッチャ８は、スタジオ内の各装置の入力と出力とを接続し、所定の番組信号を送信器（図示せず。）へ向けて出力する。例えば、朝のニュース番組等では、ＶＴＲ５から出力される取材記録の映像信号等の番組信号に併せてタイムスーパー発生器１０が出力する時刻表示信号（タイムスーパー信号）がスイッチャ８に入力される。
【００２０】
スイッチャ８は、このＶＴＲ５からの映像信号と、タイムスーパー発生器１０からのタイムスーパー信号とを映像出力装置９へ入力されるよう接続を行う。その結果、映像と時刻とが重畳表示（タイムスーパー）された番組信号が映像出力装置９で生成されて送信器（図示せず）へ向けて出力される。
【００２１】
ここでは、ＳＣＰ３からネットワーク１１を介してノード７へ、所定の時刻になるとタイムスーパー発生器１０から時刻データを出力する制御を行うイベントデータが出力されるとする。ＳＣＰ３は、すべてのイベントデータをネットワーク１１を介して送出情報サーバ１へも送信しているので、このタイムスーパー発生器１０を制御するイベントデータも送出情報サーバ１で受信される。
【００２２】
送出情報サーバ１は、オペレータが番組制御に係わる送出情報、即ち、イベント制御を確認表示するための制御を行うパーソナルコンピュータの様な情報処理装置であって、ネットワーク１１を介して受信するイベントデータを時系列に整理し、イベント表示データとしてモニタ２へ出力する。
【００２３】
図２は、モニタ２が表示する送出情報の表示画面の例である。  
図２において、図２（ａ）は、従来からのイベント表示データの表示例であり、図２（ｂ）、図２（ｃ）は、本発明の実施例によるイベント表示データの表示例である。  
図２（ａ）の表示は、１０：００：００になると映像および音声をそれぞれＶ１１という名前のＶＴＲ５から出力すること、また同じく１０：００：１０からタイムスーパーを表示し、１０：００：１０になるとタイムスーパーを止めること、続いて１０：１０：００からはＶ２１という名前のＶＴＲ５から映像と音声信号とを出力する切替が行われること等が示されている。
【００２４】
この場合、１０：００：００から１０：００：１０の間の１０秒間のタイムスーパー表示が行われているが、実際の放送では短時間のスポット広告等と交互に番組信号が送出されたりする場合がある。そして、タイムスーパー表示する時刻表示がモニタ２の画面に都度表示されるのでモニタ２の画面が頻雑になり、オペレータが監視し難くなる。
【００２５】
そして、オペレータが、表示されなければならない必要な切替イベント等の制御情報が表示（出力）されていない等のミス設定を見落とす場合もあった。
【００２６】
本発明の実施例による送出情報表示システムでは、図２（ｂ）、又は、図２（ｃ）の様にタイムスーパー送出制御の表示を中止することによりモニタの表示画面を簡略にしてオペレータの誤認を防いでいる。
【００２７】
図２（ｂ）は、タイムスーパー送出制御の表示をまったく行わない場合表示例である。また、図２（ｃ）は、タイムスーパー送出制御を実行するタイミング（時刻）のみ表示を省略し、送出中の番組がタイムスーパー表示されることを、イベント表示文字を、例えば、大きさと書体（ここでは、太字・斜体）を変更することにより表示している場合の表示例である。
【００２８】
図３は、タイムスーパー表示の制御に係わるシーケンス図である。  
図３において、ＳＣＰ３は、情報処理システムＤＳ（多くは、データサーバ）から番組時刻表に係わるデータが入力され、番組放送時間に合わせて、更に放送内容のコンテンツ送出に係わる各装置の動作制御情報、すなわちイベントデータを生成し、ネットワーク１１を介して、送出情報サーバ１および各装置へ送信する（ステップｓ１）。
【００２９】
送出情報サーバは、イベントデータを受信すると、イベント表示データを編集し、映像信号を生成してモニタ２へ出力する（ステップｓ２）。
【００３０】
図４は、図２に対応するイベントデータの例、図５は、イベント表示データの例である。  
図４において、ＳＣＰ３は、送出情報サーバ１へすべてのイベント情報を把握してオペレータに知らせる事が可能なように各装置が１０：００：００に動作するのに前もって、
（１）ＶＴＲ５（ここでは、Ｖ１１の名称のＶＴＲ）を制御するＲＴＰ４へ映像信号と音声信号が送出されるコマンドＣ１の出力（図３のステップｓ１−１に対応）、
（２）ノード７へタイムスーパー発生器１０からタイムスーパー信号を出力させるコマンドＣ２の出力（図３のステップｓ１−２に対応）、
（３）スイッチャ８へＶＴＲ５（Ｖ１１）からの映像および音声信号とタイムスーパー発生器１０からのタイムスーパー信号を映像出力装置９へ出力するコマンドＣ３の出力（図３のステップｓ１−３に対応）、
（４）映像出力装置９へＶＴＲ５（Ｖ１１）から入力される映像信号にタイムスーパー発生器１０からのタイムスーパー信号を重畳して送信器（図示せず）へ向けて出力するコマンドＣ４等を出力（図３のステップｓ１−４に対応）することが表示されている。
【００３１】
図５（ａ）は、上記ステップｓ２でこのイベントデータから生成されたイベント表示データの例で、従来のタイムスーパーを表示する場合に相当する。すなわち、あらかじめ定められた表示ルールに従って新たな番組コンテンツ送出を意味する“時刻”「１０：００：００」、“映像信号送出装置名”「Ｖ１１」、“音声信号送出装置名”「Ｖ１１」、“改行”「ＣＲ」、“時刻”「１０：００：００」、“タイムスーパー開始”「ＴＳ  ＯＮ」、“改行”「ＣＲ」、“時刻”「１０：００：１０」、“タイムスーパー終了”「ＴＳ  ＯＦＦ」、“改行”「ＣＲ」、次の番組コンテンツ送出の“時刻”「１０：１０：００」、“映像信号送出装置名”「Ｖ２１」、“音声信号送出装置名”「Ｖ２１」、“改行”「ＣＲ」、等が記述されている。
【００３２】
図５（ｂ）は、本発明の実施例によるイベント表示データの例で、後述の表示モードの設定に従って、タイムスーパーの送出情報についてはモニタ表示しない。新たな番組コンテンツ送出を意味する“時刻”「１０：００：００」、“映像信号送出装置名”「Ｖ１１」、“音声信号送出装置名”「Ｖ１１」、“改行”「ＣＲ」、が記述されるが、それに続くタイムスーパーの実施時刻は省略される。
【００３３】
そして、次の番組コンテンツ送出の“時刻”「１０：１０：００」、“映像信号送出装置名”「Ｖ２１」、“音声信号送出装置名”「Ｖ２１」、“改行”「ＣＲ」が記述される。以上の結果、モニタ２には、タイムスーパーが表示される時刻を示す制御情報は表示されない。
【００３４】
なお、この場合でも、ＳＣＰ３からは、他のノード７やスイッチャ８へは、タイムスーパー表示の為のコマンドは前述の如く各装置へネットワーク１１を介して送信されているので映像出力装置９からは、従来と同様に映像に時刻情報が重畳されたタイムスーパー表示の映像信号が出力されることは勿論である。
【００３５】
また、オペレータは、モニタ２に送出情報が表示されていなくても実際の表示時刻には映像モニタ９１を監視すればタイムスーパーが重畳表示されていることが確認できる。
【００３６】
図５（ｃ）は、実施例の変形であり、タイムスーパーの送出情報のモニタ表示は、その表示タイミング（時刻）は省略されるが、タイムスーパーが行われることのみを簡易に表示するようにしたものである。
【００３７】
図５（ｃ）においては、図５（ｂ）と同様にタイムスーパーの実施時刻は省略されるが“時刻”「１０：００：００」“映像信号送出装置名”「Ｖ１１＋ｔ」、“音声信号送出装置名”「Ｖ１１＋ｔ」、“改行”「ＣＲ」、続いて、次の番組コンテンツ送出の“時刻”「１０：１０：００」、“映像信号送出装置名”「Ｖ２１」、“音声信号送出装置名”「Ｖ２１」、“改行”「ＣＲ」、等が記述されている。
【００３８】
即ち、映像信号や音声信号のコンテンツを送出する装置記述にタイムスーパーが行われることを示すフラグ「＋ｔ」が加えられていることにより、その番組ではタイムスーパーが行われることが太字・斜体で表示される事が分かる。
【００３９】
そして、これらのタイムスーパー制御の表示形態を選択する表示モードの選択、切替は、送出制御サーバ１のキーボード等からの入力手段（図示せず。）によって設定される様にしても良い。
【００４０】
図６は、表示モードの選択画面の例、図７は、表示モードの選択に伴う表示制御の手順を説明するフローチャートである。  
図６において、表示モード選択画面は、送出情報サーバ１の起動時、または、所定の手順によりモニタ２に表示される。そして、オペレータは、例えば、「デフォルト：ＴＳ全て表示」、「ＴＳ非表示」、「ＴＳ簡易表示」の何れかを、マウスポインタで選択する。
【００４１】
送出情報サーバ１のＣＰＵは、これらの選択された情報を読み取り、所定のモードの映像信号をモニタ２へ出力する。
【００４２】
例えば、「デフォルト：ＴＳ全て表示」では、図５（ａ）に相当する様にタイムスーパー制御のモニタ表示が選択されたとする（図７のステップｓ２１がＹｅｓ）。この場合、送出制御サーバ１のＣＰＵは、モニタ２へタイムスーパー制御情報を出力するイベント表示データの映像信号を出力する制御を行う（ステップｓ２２）。
【００４３】
一方、短時間の繰り返しでタイムスーパーを表示する場合に、タイムスーパーの表示をする時間を示す時間に、制御情報を表示しない「非表示」に設定された（ステップｓ２１がＮｏ、ステップｓ２３がＹｅｓ）とする。送出情報サーバ１のＣＰＵは、モニタ２へタイムスーパー制御情報を出力しない図５（ｂ）に対応するイベント表示データの映像信号を出力する制御を行う（ステップｓ２４）。
【００４４】
また、簡易に表示する場合（ステップｓ２１がＮｏ、ステップｓ２３がＮｏ）、ＣＰＵは、「ＴＳ簡易表示」の情報を読み取り、コマンドの図５（ｃ）に対応するイベント表示データ（映像信号）が生成される。そして、タイムスーパーの制御信号の代わりに、上述の如く当該時刻にモニタ２の画面で番組コンテンツを送出するイベントに関わる時刻表示と装置名を示す表示とが太字斜体になる制御を行う（ステップｓ２５）。
【００４５】
なお、図５（ｃ）では、「ＴＳ簡易表示」の状態では、フラグ「＋ｔ」をイベント表示データに追加しているが、例えば、太字・斜体でなく、点滅文字にするなど、簡易表示する携帯を多種設けるような場合様な場合、モード選別に加えて、更に「太字／点滅／色」の様なタイプをするための表示をモード選択に続けて行う。そして、マウスポインタ等でタイプを指定することにより、例えば、点滅（フラッシュ）表示させる場合「＋ｆ」のようなフラグを付け、図２（ｃ）に示されるモニタ２で表示する簡易表示のタイプを指定するようにしても良い。
【００４６】
以上説明した如く本発明の送出情報表示システムでは、タイムスーパーの表示制御に関わる制御情報をモニタで表示を省略することにより、モニタ画面が頻雑になることを避け、オペレータの誤認を防ぐことが出来る。
【図面の簡単な説明】
【００４７】
【図１】本発明の実施例に係わる送出情報表示システムの構成を示す系統図。
【図２】モニタが表示する送出情報の表示画面の例。
【図３】タイムスーパー表示の制御に係わるシーケンス図。
【図４】図２に対応するイベントデータの例。
【図５】図２に対応するイベント表示データの例。
【図６】表示モードの選択画面の例。
【図７】表示モードの選択に伴う表示制御の手順を説明するフローチャート。
【符号の説明】
【００４８】
１  送出情報サーバ
２  モニタ
３  ＳＣＰ（Ｓｃｈｅｄｕｌｅ  Ｃｏｎｔｒｏｌ  Ｐｒｏｃｅｓｓｏｒ）
４  ＲＴＰ（Ｒｅａｌ  Ｔｉｍｅ  Ｐｒｏｃｅｓｓｏｒ）
５  ＶＴＲ
６  局内時計
７  ノード
８  スイッチャ
９  映像出力装置
１０  タイムスーパー発生器
１１  ネットワーク
【図１】
2008022341.tif 000003
【図２】
2008022341.tif 000004
【図３】
2008022341.tif 000005
【図４】
2008022341.tif 000006
【図５】
2008022341.tif 000007
【図６】
2008022341.tif 000008
【図７】
2008022341.tif 000009